【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  注射器ホルダ（１６）を有するタイプの血管造影用注射器（１０）において使用するための注射器（５００）であって、
基端（５０５）と末端（５０４）とを有し、圧送チャンバ（５１０）と入口ポート（５１８）とを形成している注射器本体（５０２）と、
前記圧送チャンバ内に配置され且つ前記基端及び末端のすぐ近くの位置間で往復するようになされた注射器プランジャ（５１２）と、を含み、
前記注射器ホルダと噛み合い係合するための平らな面（５１６）を有する前記注射器本体の末端に配置された注射器の端壁（５１４）が設けられており、前記端壁は出口ポート（５２４）を形成しており、前記注射器の端壁（５１４）が、内側部分（５２８）と外側部分（５３０）とを形成しており、前記外側部分が前記平らな面（５１６）を形成しており、前記外側部分（５３０）が複数のリブ（５３２）によって補強されている、注射器。
【請求項２】  請求項１に記載の注射器（５００）であって、
前記内側部分（５２８）が円錐形状の面（５３６）を形成している、注射器。
【請求項３】  請求項１に記載の注射器（５００）であって、
前記注射器本体（５０２）が頂部（５２２）を形成しており、
前記入口ポート（５１８）が前記頂部内に配置されている、注射器。
【請求項４】  請求項３に記載の注射器（５００）であって、
前記端壁（５１４）が第１の部分と第２の部分とを形成しており、
前記第１の部分が、前記注射器本体（５０２）の前記頂部（５２２）に隣接しており、
前記第２の部分が、前記第１の部分と反対側の端壁に隣接しており、
前記出口ポート（５２４）が、前記端壁の前記第２の部分内に配置されている、注射器。
【請求項５】  請求項４に記載の注射器（５００）であって、
プランジャ（５１２）が前記基端（５０６）から前記末端（５０４）へと動いた時に、前記入口ポート（５１８）を介して前記圧送チャンバ（５１０）から流体が流れるのを防止し、空気が入口ポートを介して前記圧送チャンバから流れ出るのを許容する、ような構造及び配置とされた弁構造を更に含む、注射器。
【請求項６】  請求項５に記載の注射器（５００）であって、
前記弁構造が逆止弁（２４）を含んでいる、注射器。
【請求項７】  請求項４に記載の注射器であって、
前記出口ポート（５２４）を包囲している出口ポートハウジング（５２６）であって、出口チューブを収容する構造及び配置とされた出口ポートハウジング（５２６）を更に含む、注射器。
【請求項８】  請求項１に記載の注射器（５００）であって、
前記注射器プランジャ（５１２）が、それに固定されたプランジャ支持部材（６１７）を含む、注射器。
【請求項９】  請求項８に記載の注射器（５００）であって、
前記プランジャ支持部材（６１７）が、少なくとも一つの脆いタブ部材（６１０）を含んでいる、注射器。
【請求項１０】  注射装置（１０）であって、
請求項１乃至９のうちのいずれかに記載の注射器（５００）と、
注射器ホルダ（５４０）であって、前記注射器（５００）を保持するような構造及び配置とされ、前記注射器を収容するための装荷端部（５５６）を含む取り付けチャンバ本体（５４２）と、前記取り付けチャンバ本体の前記装荷端部の選択的な開放及び閉塞を可能にするために前記注射器本体に対して移動可能であり且つ前記注射器の前記平らな壁部分に当接して係合するための平らで平面状の面を形成しているドア部材（５４４）とを含んでいる注射器ホルダ（５４０）と、を含む注射装置。
【請求項１１】  請求項１０に記載の注射装置（１０）であって、
前記注射器（５００）内の前記少なくとも一つのポートが、入口ポート（５１８）と出口ポート（５２４）とを含み、同出口ポートは前記平らな壁部分によって形成されており、
前記注射器が、前記入口ポートを包囲している入口ポートハウジング（５２０）と、前記出口ポートを包囲している出口ポートハウジング（５２６）とを含み、同出口ポートハウジングが前記平らな壁部分から突出している、注射装置。
【請求項１２】  請求項１１に記載の注射装置（１０）であって、
前記ドア部材（５４４）が、前記出口ポートハウジング（５２６）と摺動可能な流通のためのスロット（５６５）を形成している、注射装置。
【請求項１３】  請求項１２に記載の注射装置（１０）であって、
前記注射器ホルダ構造（５４０）が、前記注射器（５００）の摺動可能な収容のために、前記取り付けチャンバ本体（５４２）内に選択可能に取り付けられた圧力抑制スリーブ（５４８）を更に含み、
前記圧力抑制スリーブが、開口した第１及び第２の正反対の端部（５６８，５６９）を形成しており、同第１の端部は、前記取り付けチャンバ本体（５４２）の前記装荷端部（５５６）に隣接しており、前記ドア部材（５４４）は、前記第１の端部を開き或いは閉じるために選択的に移動可能である、注射装置。
【請求項１４】  請求項１３に記載の注射装置（１０）であって、
前記圧力抑制スリーブ（５４８）が、前記入口ポートハウジング（５２０）と摺動可能に連通するための開口したチャネルを形成している、注射装置。
【請求項１５】  請求項１４に記載の注射装置（１０）であって、
前記注射器ホルダ構造（５４０）が、前記圧力抑制スリーブ（５４８）の前記第２の端部に、これを覆う形態で取り付けられたプレート（５４４）を含み、同プレートは、前記注射器（５００）が前記圧力抑制スリーブ内に配置されたときに、前記注射器プランジャ（５１２）の操作を可能にするための開口を形成している、注射装置。
【請求項１６】  請求項１４に記載の注射装置（１０）であって、
前記注射器ホルダ構造（５４０）が、前記入口ポートハウジング（５２０）と流体連通状態でボトルを取り付けるような構造及び配置とされたボトルホルダアセンブリ（５５０）を更に含む、注射装置。
【請求項１７】  請求項１０に記載の注射装置（１０）であって、
前記注射器（５００）の下流に設けられた空気カラム検知器（５５２）と、
前記注射器と前記空気カラム検知器との間に流体連通を提供するチューブと、を含む注射装置。
【請求項１８】  請求項１７に記載の注射装置（１０）であって、
前記チューブがループ（６５１）を形成しており、同ループの一部分が前記空気カラム検知器（５５２）と係合している、注射装置。
【請求項１９】  注射装置内の注射器を使用するための方法であって、
圧送チャンバ（５１０）とプランジャ（５１２）とを含んでいる注射器（５００）を提供することと、
前記プランジャ（５１２）内にアクチュエータを挿入することと、
前記アクチュエータを前記プランジャ（５１２）から取り外すことによって、更なる使用を排除するために前記プランジャ（５１２）を変形させることと、を含む方法。
【請求項２０】  請求項１９に記載の方法であって、
前記プランジャ（５１２）が該プランジャ（５１２）の中心に向かって内方へ延びている複数のタブ（６１０）を含んでいる、方法。
【請求項２１】  請求項２０に記載の方法であって、
前記タブ（６１０）が可撓性で変形可能な材料によって作られている、方法。
【請求項２２】  請求項２０に記載の方法であって、
前記タブ（６１０）が、前記プランジャ（５１２）が挿入中に前記アクチュエータと係合したときに、前記アクチュエータに適合するように曲げられるようになされている、方法。
【請求項２３】  請求項２２に記載の方法であって、
前記アクチュエータが前記プランジャ（５１２）から取り外されたときに前記タブ（６１０）が破壊されるようになされている、方法。
【請求項２４】  請求項２２に記載の方法であって、
前記プランジャ（５１２）が、変形した後は前記アクチュエータに結合することができないようになされている、方法。
【請求項２５】  請求項１９に記載の方法であって、
前記注射器（５００）が患者に対して使用された後で且つ別の患者に対して使用される前に、前記アクチュエータが前記プランジャ（５１２）から取り外されるようになされている、方法。